(57)【要約】【課題】手を汚すことなく、パチンコ玉容器内のパチンコ玉をパチンコ台の上皿に移すことができるパチンコ玉の移動具を提供する。【解決手段】片手で把持できる移動具本体２の外周部に磁石３を固定配置し、前記移動具本体２に組み込んだ握り部材４に前記磁石３を覆うカバー部７を設け、この握り部材４を、そのカバー部７の先端側が磁石３に重なるパチンコ玉吸着位置と、磁石３から離れた非吸着位置の間を移動可能となるように配置し、この握り部材４に、スプリング１２でカバー部７の先端側が常時磁石３から離れた位置に戻る方向の移動弾性を付勢した。【選択図】図３
2009006032.tif 000002
【特許請求の範囲】
【請求項１】
片手で把持できる移動具本体の外周部にパチンコ玉吸着用の磁石を固定配置し、前記移動具本体に組み込んだ握り部材に前記磁石を覆うカバー部を設け、この握り部材を移動具本体に対して、そのカバー部の先端側が磁石に重なるパチンコ玉吸着位置と磁石から離れた非吸着位置の間を移動可能となるように配置し、前記握り部材に、カバー部の先端側が非吸着位置に常時戻る方向の移動弾性を付勢したパチンコ玉の移動具。
【請求項２】
上記移動具本体は、把持辺と外縁開放辺及び両側辺によって内周が手の挿入孔となる枠状に形成され、上記磁石は前記外縁開放辺の内部に設けたホルダーにその一部が外縁開放辺の外部へ突出するように固定され、上記握り部材が、移動具本体の厚み内に収まり、前記手の挿入孔に臨む部分に握り孔が設けられた握り部材本体と、前記磁石を覆うようこの握り部材本体に設けられたカバー部からなり、この握り部材が移動具本体の内部両側に設けたガイド軸に沿って移動可能となり、移動具本体内に設けたスプリングでカバー部の先端側が磁石から常時離れる方向の移動弾性が付勢され、このカバー部の磁石から離れた先端側と磁石との間が、磁石の磁力がカバー部の外面にパチンコ玉を吸引しない間隔に設定されている請求項１に記載のパチンコ玉の移動具。
【発明の詳細な説明】
【技術分野】
【０００１】
この発明は、パチンコ玉容器内に収納されているパチンコ玉をパチンコ台の上皿に移すために用いるパチンコ玉の移動具に関する。
【背景技術】
【０００２】
パチンコ遊戯において、例えば、特定の図柄や数字が揃って大当たりを引き当てたとき、パチンコ台から下皿に排出される賞玉は、パチンコ台の下皿の下に臨ませたパチンコ玉容器内に落下させて収納することになるが、大当たりの終了後も遊戯を続けるような場合、通常確率のモードでは、パチンコ台の上皿にあるパチンコ玉が消費されて減少していくことになり、このため、パチンコ玉容器内のパチンコ玉を適量取出してパチンコ台の上皿に順次補充し、遊戯を続行するようにしている。
【０００３】
従来、パチンコ玉容器内のパチンコ玉をパチンコ台の上皿に補充する場合、パチンコ玉容器内のパチンコ玉を直接手で握って上皿に移すか、パチンコ台の上方位置に備え付けられている掬いカップを使用し、パチンコ玉容器内のパチンコ玉をこのカップで掬って上皿に移す方法が採られている。
【発明の開示】
【発明が解決しようとする課題】
【０００４】
ところで、パチンコ玉には、洗浄剤等が付着しているため、パチンコ玉を直接手で握って上皿に移す方法は、手にこれら洗浄剤等が付着することになり、手が汚れるだけでなく匂いも付くことになるという問題がある。
【０００５】
また、パチンコ玉をカップで掬って上皿に移す方法は、手の汚れを防げることになるが、パチンコ玉容器内に収納したパチンコ玉の上面が平面状態になっていると、掬うときにカップの先がパチンコ玉の上面を滑り、カップの先をパチンコ玉の下に差し込むのが困難となり、このため、パチンコ玉を思うように掬うことができないという問題があり、手で握って移すほうが早くて確実であるので、実際に使う人が少ないというのが現状である。
【０００６】
そこで、この発明の課題は、上記した問題点を解決するため、パチンコ玉容器内のパチンコ玉を簡単確実に、手を汚すことなくパチンコ台の上皿に移すことができるパチンコ玉の移動具を提供することにある。
【課題を解決するための手段】
【０００７】
上記の課題を解決するため、この発明は、片手で把持できる移動具本体の外周部にパチンコ玉吸着用の磁石を固定配置し、前記移動具本体に組み込んだ握り部材に前記磁石を覆うカバー部を設け、この握り部材を移動具本体に対して、そのカバー部の先端側が磁石に重なるパチンコ玉吸着位置と磁石から離れた非吸着位置の間を移動可能となるように配置し、前記握り部材に、カバー部の先端側が非吸着位置に常時戻る方向の移動弾性を付勢した構成を採用したものである。
【０００８】
また、上記移動具本体は、把持辺と外縁開放辺及び両側辺によって内周が手の挿入孔となる枠状に形成され、上記磁石は前記外縁開放辺の内部に設けたホルダーにその一部が外縁開放辺の外部へ突出するように固定され、上記握り部材が、移動具本体の厚み内に収まり、前記手の挿入孔に臨む部分に握り孔が設けられた握り部材本体と、前記磁石を覆うようこの握り部材本体に設けられたカバー部からなり、この握り部材が移動具本体の内部両側に設けたガイド軸に沿って移動可能となり、移動具本体内に設けたスプリングでカバー部の先端側が磁石から常時離れる方向の移動弾性が付勢され、このカバー部の磁石から離れた先端側と磁石との間が、磁石の磁力がカバー部の外面にパチンコ玉を吸引しない間隔に設定されている構造とすることができる
【０００９】
ここで、上記磁石は永久磁石を用い、短い円形軸状の永久磁石と金属板ヨークを交互に複数並べて棒状とし、移動具本体内に設けた略半円筒状のホルダー内に圧入することにより取付けられ、例えば、８０ｍｍ程度の長さになっている。
【００１０】
上記磁石は、移動具本体側の略半分が、ホルダーと握り部材のカバー部及び移動具本体の外縁開放辺によって多層に覆われ、前記ホルダーとカバー部及び外縁開放辺は、合成樹脂等の非磁性体材料で形成されているので、最も外側に位置する外縁開放辺の外面にパチンコ玉を当接させても、磁石で吸着されることがないようになっている。
【００１１】
また、磁石の移動具本体と反対側の残り略半分は、握り部材のカバー部だけで覆われており、このカバー部は、例えば、１．５ｍｍ程度の厚みになっているので、磁石に重なる状態で、その外面にパチンコ玉を当接させると、磁石の磁力がパチンコ玉に作用し、カバー部の先端側外面にパチンコ玉が吸着されることになる。
【００１２】
上記先端側外面にパチンコ玉を吸着したカバー部を、握り部材の移動によって磁石から離れた位置にすると、先端側外面に対して磁石の磁力が及ばなくなり、パチンコ玉はカバー部から自然に落下することになる。
【発明の効果】
【００１３】
この発明によると、移動具本体に固定した磁石を覆うカバー部を、その先端側が磁石に重なるパチンコ玉吸着位置と磁石から離れた非吸着位置の間を移動可能となるように配置したので、カバー部を磁石に重なるパチンコ玉吸着位置にして、その外面をパチンコ玉に重ねるとパチンコ玉が吸着され、また、カバー部を磁石から離すと吸着されていたパチンコ玉は落下することになり、従って、手で保持した移動具本体に対して握り部材を移動操作するだけで、パチンコ玉の吸着と解放が行え、パチンコ玉容器内のパチンコ玉を簡単確実に手を汚すことなくパチンコ台の上皿に移すことができる。
【００１４】
また、握り部材にカバー部が常時磁石から離れる位置に戻る方向の移動弾性を付勢したので、握り部材を握るとパチンコ玉を吸着することができ、また、握り部材の握りを解くとパチンコ玉は落下することになり、握り部材の操作だけで簡単にパチンコ玉容器内のパチンコ玉をパチンコ台の上皿に移すことができる。
【００１５】
更に、パチンコ玉容器内のパチンコ玉を上のものから順に吸着するので、パチンコ玉容器内のパチンコ玉上面が平面になっていても、不揃いになっていてもその取出しが確実に行える。
【００１６】
また、棒状で長さを有する磁石を採用したので、複数個のパチンコ玉を同時に吸着すると共に解放も同時に行え、パチンコ玉容器内のパチンコ玉を効率よくパチンコ台の上皿に移すことができる。
【発明を実施するための最良の形態】
【００１７】
以下、この発明の実施の形態を添付図面に基づいて説明する。
【００１８】
図１乃至図４のように、パチンコ玉の移動具１は、片手で把持できる枠状の移動具本体２と、この移動具本体２の外周部に固定配置したパチンコ玉吸着用の磁石３と、前記移動具本体２内に磁石３を覆うように組み込まれた握り部材４とで形成されている。
【００１９】
上記移動具本体２は、硬質合成樹脂等の非磁性体材料を用いた縦に二つ割でビス等を用いて結合した構造となり、把持辺２ａと外縁開放辺２ｂ及び両側辺２ｃ、２ｃによって内周が手の挿入孔５となる内部中空の枠状に形成され、前記把持辺２ａと外縁開放辺２ｂ及び両側辺２ｃ、２ｃの内周縁は、手の挿入孔５に向けて開放し、この移動具本体２の厚み内に握り部材４を収納できるようになっている。
【００２０】
上記握り部材４は、硬質合成樹脂等の非磁性体材料を用いた内部中空の縦に二つ割でビス等を用いて結合した構造となり、移動具本体２の厚み内に収まる矩形状の握り部材本体６と、この握り部材本体６の下部に磁石３を覆うよう連ねて設けた筒状のカバー部７とで形成され、握り部材本体６には、上記挿入孔５に臨む部分に握り孔８が設けられている。
【００２１】
上記握り部材４の内部で両側の位置に平行するガイド軸９、９が軸方向に移動可能に収納され、この握り部材４を移動具本体２の厚み内に収めた状態で、図３と図４のように、両ガイド軸９、９の上端頭部を移動具本体２の上部の位置に係止することにより、移動具本体２に対して固定配置となり、前記移動具本体２で保持された握り部材４は両ガイド軸９、９に沿って移動可能となる。
【００２２】
上記した握り部材４のカバー部７は、断面略長円形の横長筒状に形成され、移動具本体２における外縁開放辺２ｂの内部に収納され、図３と図４のように、握り部材４の移動により、先端側の略半球部分が外縁開放辺２ｂから出没することになる。
【００２３】
上記カバー部７の内部両側に両ガイド軸９、９の下端が位置し、両ガイド軸９、９の下端間には、開放面が外向きの配置となる断面略半円形のホルダー１０と、このホルダー１０の上面に重なる断面弧状の補強部材１１が架設状に取付けられている。
【００２４】
上記磁石３は永久磁石を用い、例えば、直径２０ｍｍ、長さ１０ｍｍの短い円形軸状となる永久磁石と金属板ヨークを交互に複数並べて棒状とし、上記ホルダー１０内に圧入することにより固定され、例えば、８０ｍｍ程度の長さになっていると共に、パチンコ台Ｂの盤面に臨ませても、落下移動するパチンコ玉の玉筋に影響を与えることのない程度の磁力に設定されている。
【００２５】
この磁石３は、下部の一部分がホルダー１０から突出し、移動具本体２に対して固定となるガイド軸９、９に取付けたホルダー１０内に圧入固定することにより、移動具本体２に対して実質的に固定配置となり、移動具本体２で保持された握り部材４はこの磁石３に対して移動可能になる。
【００２６】
上記握り部材４は、カバー部７が磁石３の外側を覆い、このカバー部７の断面長円形の長軸方向に移動することになり、移動具本体２内でガイド軸９、９の上端部に外嵌するよう縮設したスプリング１２、１２でカバー部７の先端側周壁が磁石３から常時離れる方向の移動弾性が付勢されている。
【００２７】
上記磁石３は、図３のように、移動具本体２側に位置する略半分が、ホルダー１０と補強部材１１、握り部材４のカバー部７及び移動具本体２の外縁開放辺２ｂによって多層に覆われ、前記ホルダー１０と補強部材１１、カバー部７及び外縁開放辺２ｂは、合成樹脂等の非磁性体材料で形成されているので、最も外側に位置する外縁開放辺２ｂの外面にパチンコ玉Ａを当接させても、磁石３で吸着されることがないようになっている。
【００２８】
また、磁石３の移動具本体２と反対側のホルダー１０から突出する部分は、握り部材４のカバー部７だけで覆われており、このカバー部７は、例えば、１．５ｍｍ程度の厚みになっているので、磁石３に重なる状態で、その外面にパチンコ玉Ａを当接させると、磁石３の磁力がパチンコ玉Ａに作用し、カバー部７の先端側外面にパチンコ玉Ａが吸着されることになる。
【００２９】
上記のように、先端側外面にパチンコ玉Ａを吸着したカバー部７を、握り部材４の移動によって磁石３から離れた位置にすると、このカバー部７の磁石３から離れた先端側と磁石３との間が、磁石３の磁力がカバー部７の外面にパチンコ玉Ａを吸引しない間隔に設定されているので、カバー部７の先端側外面に対して磁石３の磁力が及ばなくなり、パチンコ玉Ａはカバー部７から自然に落下することになる。
【００３０】
この発明のパチンコ玉の移動具１は、上記のような構成であり、パチンコ遊戯店において、各パチンコ台Ｂ毎にこの移動具１を備品として配置する。
【００３１】
パチンコ玉の移動具１は、例えば、図６のように、パチンコ台Ｂ下のテーブルＣに載置したり吊り下げることによって配置し、移動具１はテーブルＣに鎖１３等を用いて繋ぎ、店外に持ち出されることのないようにすると共に、鎖１３等は移動具１をパチンコ台Ｂの上皿Ｄ上に臨ませることができる程度の長さに設定し、パチンコ台Ｂの盤面に磁力を作用させようとする行為を防ぐようにしておく。
【００３２】
パチンコの遊戯中に特定の図柄や数字が揃って大当たりを引き当てたとき、パチンコ台Ｂから下皿に排出される賞玉を、パチンコ台Ｂの下皿の下部に臨ませたテーブルＣ上のパチンコ玉容器Ｅ内に落下させて収納する。
【００３３】
大当たりの終了後も遊戯を続けるような場合、通常確率のモードでは、パチンコ台Ｂの上皿Ｄにあるパチンコ玉が減少していくので、パチンコ玉容器Ｅ内のパチンコ玉を適量取出してパチンコ台Ｂの上皿Ｄに補充する際、この発明の移動具１を使用する。
【００３４】
移動具１を使用するには、移動具本体２の把持辺２ａを片手で握って指先を握り部材４の握り孔８に差込み、カバー部７が下向きになる状態に保持してパチンコ玉容器Ｅの上に臨ませる。
【００３５】
片手で保持した移動具１は、握り部材４を握り込まない状態では、図３のように、スプリング１２、１２の押し下げで握り部材４は移動具本体２に対して下降位置にあり、磁石３とカバー部７の先端側との間が、磁石３の磁力がカバー部７の外面にパチンコ玉Ａを吸引しない間隔になっている。
【００３６】
片手で保持した移動具１の握り部材４を握り込むと、移動具本体２に対して握り部材４が上昇し、図４のように、カバー部７が磁石３に重なるので、カバー部７の先端側外面をパチンコ玉容器Ｅ内のパチンコ玉Ａ上に当接させると、磁石３の磁力がパチンコ玉Ａに作用し、カバー部７の先端側外面にパチンコ玉Ａが吸着され、移動具１全体を持ち上げると、図５のように、カバー部７の外面に多数個のパチンコ玉Ａが吸着した状態で取出される。
【００３７】
上記握り部材４を握り込んだ状態のままで移動具１をパチンコ台Ｂの上皿Ｄ上に臨ませ、握り部材４の握り込みを解くと、スプリング１２、１２の押し下げで握り部材４は移動具本体２に対して下降位置に移動し、磁石３からカバー部７の先端側が離れることで、磁石３の磁力がカバー部７の外面にパチンコ玉Ａを吸引しない状態になり、従って、カバー部７の外面に吸着されていたパチンコ玉Ａは、パチンコ台Ｂの上皿Ｄに落下して収納される。
【００３８】
このように、片手で保持した移動具本体２に対して握り部材４を移動操作するだけで、パチンコ玉Ａの吸着と解放が行え、パチンコ玉容器Ｅ内のパチンコ玉Ａを簡単確実に手を汚すことなくパチンコ台Ｂの上皿Ｄに移させて補充することができ、パチンコ台Ｂの上皿Ｄのパチンコ玉Ａが少なくなるごとに上記動作を繰り返せばよい。
【図面の簡単な説明】
【００３９】
【図１】この発明に係るパチンコ玉の移動具を示す斜視図
【図２】（ａ）はこの発明に係るパチンコ玉の移動具の移動具本体を示す半割り状態の正面図、（ｂ）は握り部材を示す半割り状態の正面図、（ｃ）は磁石とガイド軸の組合わせ構造を示す正面図
【図３】（ａ）は握り部材を握っていない開放状態を示すパチンコ玉の移動具の縦断正面図、（ｂ）は同縦断側面図
【図４】（ａ）は握り部材を握った状態を示すパチンコ玉の移動具の縦断正面図、（ｂ）は同縦断側面図
【図５】この発明に係るパチンコ玉の移動具でパチンコ玉を吸着した使用状態の斜視図
【図６】この発明に係るパチンコ玉の移動具の配置状態を示すパチンコ台の正面図
【符号の説明】
【００４０】
１        移動具
２        移動具本体
３        磁石
４        握り部材
５        挿入孔
６        握り部材本体
７        カバー部
８        握り孔
９        ガイド軸
１０      ホルダー
１１      補強部材
１２      スプリング
１３      鎖
Ａ        パチンコ玉
Ｂ        パチンコ台
Ｃ        テーブル
Ｄ        上皿
Ｅ        パチンコ玉容器
【図１】
2009006032.tif 000003
【図２】
2009006032.tif 000004
【図３】
2009006032.tif 000005
【図４】
2009006032.tif 000006
【図５】
2009006032.tif 000007
【図６】
2009006032.tif 000008